(57)【要約】【課題】横架材の両端面にスリットおよび複数のピン孔を形成する作業や、ピン孔の位置合わせ作業等が不要で、２本の柱の間に横架材３を水平方向（横方向）から設置することができる。【解決手段】外周面に雄ネジ部１１ａが形成されたネジ棒１１と、ネジ棒１１が挿入されると共に、ネジ棒挿入部１２ａを有すると共に、柱２，２材に釘やビス等の固定部材１５により固定される背板部を有するネジ棒支持金物１２と、ネジ棒１１と螺合する雌ネジ部が形成されていると共に、横架材３に固定部材１５により固定される座金部を有する雌ネジ部付き座金１３と、ネジ棒１１に螺合する第１締結ナット１４ａとを使用して、２本の柱２，２の間に横架材３を設置する際、第１締結ナット１４ａを回転させて横架材３を上昇させる。【選択図】図８
2019027132.tif 000002
【特許請求の範囲】
【請求項１】
外周面に雄ネジ部が形成されたネジ棒と、前記ネジ棒が挿入されると共に、前記ネジ棒が挿入された場合、両側から前記ネジ棒の雄ネジ部が突出するネジ棒挿入部を有すると共に、柱材に釘やビス等の固定部材により固定される背板部を有するネジ棒支持金物と、前記ネジ棒の雄ネジ部と螺合する雌ネジ部を有する共に、横架材に釘やビス等の固定部材により固定される座金部を有する雌ネジ部付き座金と、前記ネジ棒の雄ネジ部と螺合する雌ネジ部が形成された第１締結ナットを使用して、２本の柱の間に横架材を設置する横架材設置方法であって、
前記２本の柱の対向する内側面に、それぞれ、前記ネジ棒支持金物を固定すると共に、前記ネジ棒支持金物のネジ棒挿入部に前記ネジ棒を挿入し、かつ、前記ネジ棒支持金物のネジ棒挿入部の上部から突出する前記ネジ棒の雄ネジ部に前記第１締結ナットを螺合する第１工程と、
前記横架材の下側面の両側に、それぞれ、前記雌ネジ部付き座金を固定する第２工程と、
前記第１工程によって前記２本の柱の対向する内側面にそれぞれ固定された前記各ネジ棒支持金物のネジ棒挿入部に螺合した前記ネジ棒の上端を、前記第２工程によって前記横架材の下側面の両側にそれぞれ固定した前記雌ネジ部付き座金の雌ネジ部に螺合させ、前記２本の柱の間に前記横架材を仮置きする第３工程と、
前記第３工程によって前記ネジ棒の上端に前記雌ネジ部付き座金の雌ネジ部を螺合させた仮置き状態で、両側の前記各ネジ棒の雄ネジ部に螺合している前記各第１締結ナットを回転させることにより前記各ネジ棒をそれぞれ前記各ネジ棒支持金物に対し上昇させ、前記横架材を上昇させる第４工程と、
を有することを特徴とする横架材設置方法。
【請求項２】
請求項１記載の横架材設置方法において、
さらに、
前記第４工程によって前記２本の柱の間で前記横架材を所望の高さまで上昇させた後、前記各ネジ棒支持金物のネジ棒挿入部の下側から前記ネジ棒の雄ネジ部下端から第２締結ナットを螺合して当該第２締結ナットと前記第１締結ナットとにより前記各ネジ棒支持金物のネジ棒挿入部に対し前記ネジ棒を固定する第５工程を有することを特徴とする横架材設置方法。
【請求項３】
請求項１または請求項２に記載の横架材設置方法において、
さらに、
前記柱の間に設置された前記横架材に対し追加の金物を使用して前記柱と前記横架材とを固定する第６工程を有することを特徴とする横架材設置方法。
【請求項４】
請求項１〜請求項３のいずれか一の請求項に記載の横架材設置方法において、
前記ネジ棒は、
前記横架材を下方から上方へ貫通させる長さを有している一方、
前記横架材には、前記ネジ棒が下方から上方へ貫通する貫通孔が形成されており、
前記第４工程では、
前記第３工程によって前記ネジ棒の上端に前記雌ネジ部付き座金の雌ネジ部を螺合させた仮置き状態で、両側の前記各ネジ棒の雄ネジ部に螺合している前記各第１締結ナットを回転させて、前記各ネジ棒をそれぞれ前記各ネジ棒支持金物に対し上昇させることにより前記横架材の前記貫通孔を貫通させて当該横架材の上側面から突出させ、当該横架材の上側面から突出した前記ネジ棒の上端に座金を介し第３締結ナットを螺合して、当該第３締結ナットと前記雌ネジ部付き座金とにより前記横架材を前記ネジ棒に固定し、その後、前記各第１締結ナットを回転させて前記横架材を上昇させることを特徴とする横架材設置方法。
【請求項５】
外周面に雄ネジ部が形成されたネジ棒と、前記ネジ棒が挿入されると共に、前記ネジ棒が挿入された場合、両側から前記ネジ棒の雄ネジ部が突出するネジ棒挿入部を有すると共に、柱材に釘やビス等の固定部材により固定される背板部を有するネジ棒支持金物と、前記ネジ棒の雄ネジ部と螺合する雌ネジ部を有する共に、横架材に釘やビス等の固定部材により固定される座金部を有する雌ネジ部付き座金と、前記ネジ棒の雄ネジ部と螺合する雌ネジ部が形成された第１締結ナットを使用して、２本の柱の間に横架材を設置する横架材設置方法であって、
前記２本の柱の対向する内側面に、それぞれ、前記ネジ棒支持金物を固定すると共に、前記ネジ棒支持金物のネジ棒挿入部に前記ネジ棒を挿入し、かつ、前記ネジ棒支持金物のネジ棒挿入部の上部から突出する前記ネジ棒の雄ネジ部に前記第１締結ナットを螺合する一方、前記横架材の上側面の両側に、それぞれ、前記雌ネジ部付き座金を固定し、前記２本の柱の対向する内側面にそれぞれ固定された前記各ネジ棒支持金物のネジ棒挿入部に螺合した前記ネジ棒の下端を、前記横架材の上側面の両側にそれぞれ固定した前記雌ネジ部付き座金の雌ネジ部に螺合する第１工程と、
前記第１工程によって前記ネジ棒の下端に前記雌ネジ部付き座金の雌ネジ部を螺合させた状態で、両側の前記各ネジ棒の雄ネジ部に螺合している前記各第１締結ナットを回転させることにより前記各ネジ棒をそれぞれ前記各ネジ棒支持金物に対し下降させて、前記横架材を下降させる第２工程と、
を有することを特徴とする横架材設置方法。
【請求項６】
請求項５記載の横架材設置方法において、
前記第１工程では、前記各ネジ棒支持金物のネジ棒挿入部に螺合した前記ネジ棒の下端に第２締結ナットを螺合すると共に、第２締結ナットから突出した前記ネジ棒の下端を前記横架材の上側面の両側にそれぞれ固定した前記雌ネジ部付き座金の雌ネジ部に螺合し、
さらに、
前記第２工程によって前記２本の柱の間で前記横架材を所望の高さまで下降させた後、前記前記ネジ棒の下端に予め螺合している第２締結ナットを回転させて上昇させ、当該第２締結ナットと前記第１締結ナットとにより前記各ネジ棒支持金物のネジ棒挿入部に対し前記ネジ棒を固定する第３工程を有することを特徴とする横架材設置方法。
【請求項７】
請求項５または請求項６に記載の横架材設置方法において、
さらに、
前記柱の間に設置された前記横架材に対し追加の金物を使用して前記柱と前記横架材とを固定する第４工程を有することを特徴とする横架材設置方法。
【請求項８】
請求項５〜請求項７のいずれか一の請求項に記載の横架材設置方法において、
前記ネジ棒は、
前記横架材を上方から下方へ貫通させる長さを有している一方、
前記横架材には、前記ネジ棒が上方から下方へ貫通する貫通孔が形成されており、
前記第１工程では、
前記２本の柱の対向する内側面にそれぞれ固定された前記各ネジ棒支持金物のネジ棒挿入部に螺合した前記ネジ棒の下端を、前記横架材の上側面の両側にそれぞれ固定した前記雌ネジ部付き座金の雌ネジ部に螺合させると共に、前記横架材の貫通孔を貫通させて当該横架材の下側面から突出させ、当該横架材の下側面から突出した前記ネジ棒の下端に第３締結ナットを螺合して、当該横架材を前記第３締結ナットと前記雌ネジ部付き座金とにより固定しておくことを特徴とする横架材設置方法。
【発明の詳細な説明】
【技術分野】
【０００１】
本発明は、２本の柱の間に横架材を設置する横架材設置方法に関する。
【背景技術】
【０００２】
従来、２本の柱の間に梁等の横架材を設置する場合、例えば、その２本の柱の対向する内側面にそれぞれ側板と背板とを有するコ字状の梁受け金物を取付ける一方、梁等の横架材の両端面にはそれぞれ梁受け金物の側板に応じた２本のスリットおよびドリフトピン挿入用の複数のピン孔を形成する。
次に、２本の柱に取り付けた梁受け金物の側板が横架材の両端面の２本のスリットに納まり、かつ、梁受け金物の側板の複数のピン孔の位置と、横架材の両側に形成した複数のピン孔の位置とが合うように横架材を上方から降下させた後、横架材の両側でドリフトピンを打ち込んで、２本の柱の間に横架材を設置する方法が提案されている（例えば、特許文献１，２参照。）。
【先行技術文献】
【特許文献】
【０００３】
【特許文献１】特開平１０−３３１２６２号公報
【特許文献２】特開２００４−３１６２９２号公報
【発明の概要】
【発明が解決しようとする課題】
【０００４】
しかし、上述の特許文献１，２の横架材設置方法では、横架材の両端面にスリットや複数のピン孔を形成すると共に、２本の柱に取り付けた梁受け金物の側板を横架材の両端面の２本のスリットに納め、梁受け金物の側板の複数のピン孔の位置と、横架材の両側に形成した複数のピン孔の位置とが合うように横架材を上方から降下させる必要があるため、横架材の両端面にスリットおよび複数のピン孔を形成する作業や、ピン孔の位置合わせ作業等に非常に手間がかかるという問題があった。
【０００５】
特に、リフォームや増改築等の際に、既設の2本の柱の間に新たに梁を設置する場合、既存の工作物や、壁、柱、屋根、内装材等が残っており、作業スペースが限られている。そのため、横架材を上方から降下させて横架材の両端面の２本のスリットに梁受け金物の側板を納める作業が困難で、柱に対し横架材を正面または背後の水平方向（横方向）から運び入れることが要望されていた。
【０００６】
また、既設の柱にボルト孔を新たに開設することは作業スペースや強度等の点で困難であると共に、たとえ既設の2本の柱の間に新たに梁を設置できたとしても、現場施工では、設置した梁の高さの微調整が出来ないという問題もあった。
【０００７】
そこで、本発明は、このような問題に着目してなされたもので、横架材の両端面にスリットおよび複数のピン孔を形成する作業や、ピン孔の位置合わせ作業等が不要で、２本の柱の間に横架材を正面または背後の水平方向（横方向）から設置することができる横架材設置方法を提供することを目的とする。
【課題を解決するための手段】
【０００８】
前記課題を解決するため、本発明に係る横架材設置方法は、外周面に雄ネジ部が形成されたネジ棒と、前記ネジ棒が挿入されると共に、前記ネジ棒が挿入された場合、両側から前記ネジ棒の雄ネジ部が突出するネジ棒挿入部を有すると共に、柱材に釘やビス等の固定部材により固定される背板部を有するネジ棒支持金物と、前記ネジ棒の雄ネジ部と螺合する雌ネジ部を有する共に、横架材に釘やビス等の固定部材により固定される座金部を有する雌ネジ部付き座金と、前記ネジ棒の雄ネジ部と螺合する雌ネジ部が形成された第１締結ナットを使用して、２本の柱の間に横架材を設置する横架材設置方法であって、前記２本の柱の対向する内側面に、それぞれ、前記ネジ棒支持金物を固定すると共に、前記ネジ棒支持金物のネジ棒挿入部に前記ネジ棒を挿入し、かつ、前記ネジ棒支持金物のネジ棒挿入部の上部から突出する前記ネジ棒の雄ネジ部に前記第１締結ナットを螺合する第１工程と、前記横架材の下側面の両側に、それぞれ、前記雌ネジ部付き座金を固定する第２工程と、前記第１工程によって前記２本の柱の対向する内側面にそれぞれ固定された前記各ネジ棒支持金物のネジ棒挿入部に螺合した前記ネジ棒の上端を、前記第２工程によって前記横架材の下側面の両側にそれぞれ固定した前記雌ネジ部付き座金の雌ネジ部に螺合させ、前記２本の柱の間に前記横架材を仮置きする第３工程と、前記第３工程によって前記ネジ棒の上端に前記雌ネジ部付き座金の雌ネジ部を螺合させた仮置き状態で、両側の前記各ネジ棒の雄ネジ部に螺合している前記各第１締結ナットを回転させることにより前記各ネジ棒をそれぞれ前記各ネジ棒支持金物に対し上昇させ、前記横架材を上昇させる第４工程と、を有することを第１の特徴とする。
また、本発明に係る横架材設置方法は、上記横架材設置方法において、さらに、前記第４工程によって前記２本の柱の間で前記横架材を所望の高さまで上昇させた後、前記各ネジ棒支持金物のネジ棒挿入部の下側から前記ネジ棒の雄ネジ部下端から第２締結ナットを螺合して当該第２締結ナットと前記第１締結ナットとにより前記各ネジ棒支持金物のネジ棒挿入部に対し前記ネジ棒を固定する第５工程を有することを第２の特徴とする。
また、本発明に係る横架材設置方法は、上記横架材設置方法において、さらに、前記柱の間に設置された前記横架材に対し追加の金物を使用して前記柱と前記横架材とを固定する第６工程を有することを第３の特徴とする。
また、本発明に係る横架材設置方法は、上記横架材設置方法において、前記ネジ棒は、
前記横架材を下方から上方へ貫通させる長さを有している一方、前記横架材には、前記ネジ棒が下方から上方へ貫通する貫通孔が形成されており、前記第４工程では、前記第３工程によって前記ネジ棒の上端に前記雌ネジ部付き座金の雌ネジ部を螺合させた仮置き状態で、両側の前記各ネジ棒の雄ネジ部に螺合している前記各第１締結ナットを回転させて、前記各ネジ棒をそれぞれ前記各ネジ棒支持金物に対し上昇させることにより前記横架材の前記貫通孔を貫通させて当該横架材の上側面から突出させ、当該横架材の上側面から突出した前記ネジ棒の上端に座金を介し第３締結ナットを螺合して、当該第３締結ナットと前記雌ネジ部付き座金とにより前記横架材を前記ネジ棒に固定し、その後、前記各第１締結ナットを回転させて前記横架材を上昇させることを第４の特徴とする。
また、本発明に係る横架材設置方法は、外周面に雄ネジ部が形成されたネジ棒と、前記ネジ棒が挿入されると共に、前記ネジ棒が挿入された場合、両側から前記ネジ棒の雄ネジ部が突出するネジ棒挿入部を有すると共に、柱材に釘やビス等の固定部材により固定される背板部を有するネジ棒支持金物と、前記ネジ棒の雄ネジ部と螺合する雌ネジ部を有する共に、横架材に釘やビス等の固定部材により固定される座金部を有する雌ネジ部付き座金と、前記ネジ棒の雄ネジ部と螺合する雌ネジ部が形成された第１締結ナットを使用して、２本の柱の間に横架材を設置する横架材設置方法であって、前記２本の柱の対向する内側面に、それぞれ、前記ネジ棒支持金物を固定すると共に、前記ネジ棒支持金物のネジ棒挿入部に前記ネジ棒を挿入し、かつ、前記ネジ棒支持金物のネジ棒挿入部の上部から突出する前記ネジ棒の雄ネジ部に前記第１締結ナットを螺合する一方、前記横架材の上側面の両側に、それぞれ、前記雌ネジ部付き座金を固定し、前記２本の柱の対向する内側面にそれぞれ固定された前記各ネジ棒支持金物のネジ棒挿入部に螺合した前記ネジ棒の下端を、前記横架材の上側面の両側にそれぞれ固定した前記雌ネジ部付き座金の雌ネジ部に螺合する第１工程と、前記第１工程によって前記ネジ棒の下端に前記雌ネジ部付き座金の雌ネジ部を螺合させた状態で、両側の前記各ネジ棒の雄ネジ部に螺合している前記各第１締結ナットを回転させることにより前記各ネジ棒をそれぞれ前記各ネジ棒支持金物に対し下降させて、前記横架材を下降させる第２工程と、を有することを第５の特徴とする。
また、本発明に係る横架材設置方法は、上記横架材設置方法において、前記第１工程では、前記各ネジ棒支持金物のネジ棒挿入部に螺合した前記ネジ棒の下端に第２締結ナットを螺合すると共に、第２締結ナットから突出した前記ネジ棒の下端を前記横架材の上側面の両側にそれぞれ固定した前記雌ネジ部付き座金の雌ネジ部に螺合し、さらに、前記第２工程によって前記２本の柱の間で前記横架材を所望の高さまで下降させた後、前記前記ネジ棒の下端に予め螺合している第２締結ナットを回転させて上昇させ、当該第２締結ナットと前記第１締結ナットとにより前記各ネジ棒支持金物のネジ棒挿入部に対し前記ネジ棒を固定する第３工程を有することを第６の特徴とする。
また、本発明に係る横架材設置方法は、上記横架材設置方法において、さらに、前記柱の間に設置された前記横架材に対し追加の金物を使用して前記柱と前記横架材とを固定する第４工程を有することを第７の特徴とする。
また、本発明に係る横架材設置方法は、上記横架材設置方法において、前記ネジ棒は、前記横架材を上方から下方へ貫通させる長さを有している一方、前記横架材には、前記ネジ棒が上方から下方へ貫通する貫通孔が形成されており、前記第１工程では、前記２本の柱の対向する内側面にそれぞれ固定された前記各ネジ棒支持金物のネジ棒挿入部に螺合した前記ネジ棒の下端を、前記横架材の上側面の両側にそれぞれ固定した前記雌ネジ部付き座金の雌ネジ部に螺合させると共に、前記横架材の貫通孔を貫通させて当該横架材の下側面から突出させ、当該横架材の下側面から突出した前記ネジ棒の下端に第３締結ナットを螺合して、当該横架材を前記第３締結ナットと前記雌ネジ部付き座金とにより固定しておくことを第８の特徴とする。
【発明の効果】
【０００９】
本発明に係る横架材設置方法では、第１工程によって２本の柱の対向する内側面に、それぞれ、ネジ棒支持金物を固定すると共に、ネジ棒支持金物のネジ棒挿入部にネジ棒を挿入し、かつ、ネジ棒支持金物のネジ棒挿入部の上部から突出するネジ棒の雄ネジ部に第１締結ナットを螺合する一方、第２工程によって横架材の下側面の両側に、それぞれ、雌ネジ部付き座金を固定する。
これにより、横架材の両端面にスリットを形成したり、横架材の両側にドリフトピンを貫通させる複数のピン孔を形成する作業や、梁受け金物の側板の複数のピン孔の位置と横架材の両側に形成した複数のピン孔の位置とを合せる作業が不要となるので、作業の手間を大幅に削減できる。また、既設の柱にドリル等の工具によってドリル孔を新たに開設しなくても済むので、その分だけ作業の手間削減できると共に、ドリル孔の開設による強度の低下も防止できる。
次に、本発明に係る横架材設置方法では、第３工程により、第１工程によって２本の柱の対向する内側面にそれぞれ固定された各ネジ棒支持金物のネジ棒挿入部に取り付けたネジ棒の上端を、第２工程によって横架材の下側面の両側にそれぞれ固定した雌ネジ部付き座金の雌ネジ部に螺合させて、２本の柱の間に横架材を仮置きし、続く第４工程により、第３工程によってネジ棒の上端に雌ネジ部付き座金の雌ネジ部を螺合させた仮置き状態で、両側の各ネジ棒の雄ネジ部に螺合している各第１締結ナットを回転させ、各ネジ棒をそれぞれ各ネジ棒支持金物に対し上昇させる。
これにより、横架材を上方から降下させて横架材の両端面の２本のスリットに梁受け金物の側板を納める作業が不要となるので、例えば、リフォームや増改築等の際に、既存の工作物や、壁、柱、屋根、内装材等が残っていて作業スペースが限られていても、２本の柱の間に横架材を正面または背後の水平方向から運び入れることが可能となり、作業の手間を大幅に削減できる。
特に、この第３工程では、各ネジ棒支持金物のネジ棒挿入部に取り付けたネジ棒の上端を、第２工程によって横架材の下側面の両側にそれぞれ固定した雌ネジ部付き座金の雌ネジ部に螺合させて、２本の柱の間に横架材を仮置きすることができるので、支えが不要になり、横架材の設置作業の手間を大幅に軽減することができる。
また、本発明の第４工程により、左右両側の各ネジ棒に螺合している第１締結ナットを回転させることにより、各ネジ棒をそれぞれ各ネジ棒支持金物に対し上昇させ、２本の柱の間に仮置きした横架材の両側の高さを所望の高さに移動させる。
これにより、左右の柱に取り付けた各ネジ棒支持金物の高さにズレがあったしても、左右両側の第１締結ナットをそれぞれ回転させることによって、簡単に横架材の両側の高さを微調整して水平にすることが可能となり、横架材の設置作業の手間を大幅に軽減することができる。
また、リフォーム等で起こりうる経年による柱の傾きも、ネジ棒支持金物におけるネジ棒の高さ（繰り出し量）を微調整することによって修正できるので、柱や梁等の横架材端部の垂直度がとれない場合でも本発明に係るネジ棒支持金物によってその垂直度をとることが可能となる。
また、両側の第１締結ナットを回転させることによって、各ネジ棒を上昇させて横架材を上昇させているため、単に横架材を吊上げる場合よりも、小さな力で横架材を上昇させることができるので、この点でも横架材の設置作業の手間を軽減することができる。
これにより、横架材設置方法の基本的な設置作業が完了するので、第１工程〜第４工程の作業のほとんどを横架材の下方で行うことが可能となり、高所へ横架材を設置する場合でも、横架材の設置作業の手間を大幅に軽減することができる。
また、本発明の別の横架材設置方法、すなわち同様の羽子板ボルト金物セットを使用して２本の柱間で横架材を下降させて設置する方法によれば、第１工程では、２本の柱の対向する内側面に、それぞれ、ネジ棒支持金物を固定すると共に、ネジ棒支持金物のネジ棒挿入部にネジ棒を挿入し、かつ、ネジ棒支持金物のネジ棒挿入部の上部から突出するネジ棒の雄ネジ部に第１締結ナットを螺合する一方、横架材の上側面の両側に、それぞれ、雌ネジ部付き座金を固定し、２本の柱の対向する内側面にそれぞれ固定された各ネジ棒支持金物のネジ棒挿入部に螺合したネジ棒の下端を、横架材の上側面の両側にそれぞれ固定した雌ネジ部付き座金の雌ネジ部に螺合し、次の第２工程では、両側の各ネジ棒の雄ネジ部に螺合している各第１締結ナットを回転させることにより各ネジ棒をそれぞれ各ネジ棒支持金物に対し下降させて、横架材を下降させる。
そのため、横架材を下降させて設置する本発明の別の横架材設置方法によっても、例えば、リフォームや増改築等の際に、既存の工作物や、壁、柱、屋根、内装材等が残っていて作業スペースが限られていても、２本の柱の間に横架材を正面または背後の水平方向から運び入れることが可能となり、作業の手間を大幅に削減できると共に、横架材が水平になっていない場合は、左右の各第１締結ナットをそれぞれ個別に回転させることによって、横架材の左右の高さを微調整することもできるので、左右の柱の間に横架材を確実に水平に設置することができる。
特に、リフォーム等で起こりうる経年による柱の傾きも、傾いた柱に取り付けたネジ棒支持金物におけるネジ棒の高さ（繰り出し量）を微調整することによって修正できるので、柱や横架材端部の垂直度がとれない場合でもネジ棒支持金物によってその垂直度をとることができる。
【図面の簡単な説明】
【００１０】
【図１】（ａ）〜（ｄ）それぞれ、本発明に係る実施形態１の横架材設置方法で使用するネジ棒の正面図、ネジ棒支持金物の平面図、正面図、右側面図である。
【図２】（ａ）〜（ｃ）それぞれ、本発明に係る実施形態１の横架材設置方法で使用する雌ネジ部付き座金の平面図、正面図、底面図である。
【図３】本発明に係る実施形態１の横架材設置方法の第１工程により柱にネジ棒支持金物を固定した状態を示す拡大正面図である。
【図４】本発明に係る実施形態１の横架材設置方法の第１工程により柱に固定したネジ棒支持金物にネジ棒と第１締結ナットを固定した状態を示す拡大正面図である。
【図５】（ａ），（ｂ）それぞれ、本発明に係る実施形態１の横架材設置方法の第２工程により横架材の下側面に雌ネジ部付き座金を固定した状態を示す拡大正面図、拡大底面図である
【図６】（ａ），（ｂ）それぞれ、本発明に係る実施形態１の横架材設置方法の第１工程によりネジ棒支持金物等を固定した２本の柱の間に、第２工程により雌ネジ部付き座金を固定した横架材を設置する第３工程の状態を示す正面図、部分拡大側面図である。
【図７】本発明に係る実施形態１の横架材設置方法の第３工程により２本の柱の間に横架材を仮置きした状態を示す部分拡大正面図である。
【図８】本発明に係る実施形態１の横架材設置方法の第４工程により各ネジ棒に螺合している第１締結ナットを回転させることによって横架材を上昇させている状態を示す部分拡大正面図である。
【図９】本発明に係る実施形態１の横架材設置方法の第４工程により各ネジ棒に螺合している第１締結ナットを回転させることによって横架材を所望の高さまで上昇させた状態を示す部分拡大正面図である。
【図１０】本発明に係る実施形態１の横架材設置方法の第５工程により各ネジ棒支持金物のネジ棒挿入部の下側から突出しているネジ棒の下端部に対し第２締結ナットを螺合した状態を示す部分拡大正面図である。
【図１１】（ａ），（ｂ）それぞれ実施形態１の横架材設置方法で使用する羽子板ボルト金物セットを、左右の柱それぞれに２セットずつ使用した例を示す図で、（ａ）は、柱の内側面に２個のネジ棒支持金物を前後方向に平行に並べて固定した状態を示す部分側面図、（ｂ）は、横架材の下側面に２個の雌ネジ部付き座金を前後方向に平行に並べて固定した状態を示す部分底面図である。
【図１２】本発明に係る実施形態２の横架材設置方法の第６工程により、追加の金物であるＬ形金物を使用して柱と横架材とを固定した状態を示す部分拡大正面図である。
【図１３】本発明に係る実施形態２の横架材設置方法の第６工程により、追加の金物である爪付きプレート金物を使用して柱と横架材とを固定した状態を示す部分拡大正面図である。
【図１４】本発明に係る実施形態２の横架材設置方法の第６工程により、追加の金物として羽子板ボルト金物セットを横架材の上側面側に使用して柱と横架材とを固定した状態を示す部分拡大正面図である。
【図１５】本発明に係る実施形態２の横架材設置方法の第６工程により、追加の金物として羽子板ボルト金物セットを横架材の下側面側に使用して柱と横架材とを固定した状態を示す部分拡大正面図である。
【図１６】本発明に係る実施形態３の横架材設置方法により２本の柱の間に横架材を設置した状態を示す部分拡大正面図である。
【図１７】本発明に係る実施形態４の横架材設置方法である横架材下降設置方法の第１工程が完了した状態を示す部分拡大正面図である。
【図１８】本発明に係る実施形態４の横架材設置方法である横架材下降設置方法の第２工程の途中を示す部分拡大正面図である。
【図１９】本発明に係る実施形態４の横架材設置方法である横架材下降設置方法の第２工程が完了した状態を示す部分拡大正面図である。
【図２０】本発明に係る実施形態４の横架材設置方法である横架材下降設置方法の第３工程が完了した状態を示す部分拡大正面図である。
【図２１】本発明に係る実施形態５の横架材設置方法である横架材下降設置方法の第４工程により、追加の金物であるＬ形金物を使用して柱と横架材とを固定した状態を示す部分拡大正面図である。
【図２２】本発明に係る実施形態５の横架材設置方法である横架材下降設置方法の第４工程により、追加の金物である爪付きプレート金物を使用して柱と横架材とを固定した状態を示す部分拡大正面図である。
【図２３】本発明に係る実施形態５の横架材設置方法である横架材下降設置方法の第４工程により、追加の金物として羽子板ボルト金物セットを横架材の下側面側に使用して柱と横架材とを固定した状態を示す部分拡大正面図である。
【図２４】本発明に係る実施形態５の横架材設置方法である横架材下降設置方法の第４工程により、追加の金物として羽子板ボルト金物セットを横架材の上側面側に使用して柱と横架材とを固定した状態を示す部分拡大正面図である。
【図２５】本発明に係る実施形態６の横架材設置方法により２本の柱の間に横架材を設置した状態を示す部分拡大正面図である。
【発明を実施するための形態】
【００１１】
以下、本発明に係る横架材設置方法の実施の形態１〜６を、添付図面を参照しながら詳細に説明する。なお、下記に説明する実施形態１〜６は、あくまで実施形態の一例であり、本発明は下記の実施形態１〜６に限定されるものではなく、本発明の技術思想の範囲内で適宜変更可能である。
【００１２】
実施形態１．
＜実施形態１の横架材設置方法で使用する金物＞
まず、本発明に係る実施形態１の横架材設置方法で使用する羽子板ボルト金物セット１について説明する。
本発明に係る実施形態１の横架材設置方法では、少なくとも、外周面に雄ネジ部が形成されたネジ棒１１と、ネジ棒支持金物１２と、雌ネジ部付き座金１３と、第１締結ナット１４ａおよび第２締結ナット１４ｂと、釘やビス等の複数の固定部材１５を備えた羽子板ボルト金物セット１を、左右の柱２，２それぞれに１セットずつの２セット使用する。
【００１３】
ネジ棒１１は、図１（ａ）に示すように、外周面に雄ネジ部１１ａが形成された全ネジボルトを使用する。ただし、ネジ棒１１は、全ネジボルトである必要はなく、雌ネジ部付き座金１３や、第１締結ナット１４ａ、第２締結ナット１４ｂと螺合する部分にのみ雄ネジ部１１ａが形成されたネジ棒であれば良い。
【００１４】
ネジ棒支持金物１２は、図１（ｂ）〜（ｄ）に示すように、ネジ棒１１が挿入される筒状のネジ棒挿入部１２ａを有すると共に、柱材に釘やビス等の固定部材１５が通される複数の取付孔１２ｂ１が設けられた背板部１２ｂを有する。
【００１５】
雌ネジ部付き座金１３は、図２（ａ）〜（ｃ）に示すように、ネジ棒１１の雄ネジ部１１ａと螺合する雌ネジ部１３ａ１が形成されたナット部１３ａを有する共に、横架材３に釘やビス等の固定部材１５が通される複数の取付孔１３ｂ１が設けられた座金部１３ｂを有する。
【００１６】
尚、雌ネジ部１３ａ１はネジ棒１１の雄ネジ部１１ａと螺合するため、座金部１３ｂの中央、すなわちナット部１３ａのナット孔の部分は、ネジ棒１１の先端部が座金部１３ｂに当接するように挿通孔が形成されていない方が良いが、ネジ棒１１の先端部が通るように挿通孔が形成されていても良い。
【００１７】
第１締結ナット１４ａおよび第２締結ナット１４ｂは、通常のナットで、ネジ棒１１の雄ネジ部１１ａに螺合する。
【００１８】
＜実施形態１の横架材設置方法＞
次に、実施形態１の横架材設置方法の第１工程〜第５工程について説明する。
【００１９】
（第１工程）
第１工程では、２本の柱２，２の対向する内側面２ａ，２ａ、それぞれ、図３に示すように、釘やビス等の固定部材１５によってネジ棒支持金物１２を固定すると共に、図４に示すように、ネジ棒支持金物１２のネジ棒挿入部１２ａにネジ棒１１を挿入し、ネジ棒支持金物１２のネジ棒挿入部１２ａの上部から突出するネジ棒１１の雄ネジ部１１ａに第１締結ナット１４ａを螺合する。これにより、ネジ棒１１の脱落を防止できる。
【００２０】
（第２工程）
第２工程では、横架材３の下側面２ａの両側に、それぞれ、図５（ａ），（ｂ）に示すように、座金部１３ｂの複数の取付孔１３ｂ１から釘やビス等の固定部材１５を打込んで、雌ネジ部付き座金１３を固定する。
【００２１】
このように実施形態の横架材設置方法の第１工程および第２工程によれば、上述した特許文献１，２の発明のように、横架材３の両端面にスリットを形成したり、横架材３の両側にドリフトピンを貫通させる複数のピン孔を形成する作業や、梁受け金物の側板の複数のピン孔の位置と横架材３の両側に形成した複数のピン孔の位置とを合せる作業等が不要となるので、作業の手間を大幅に削減できる。また、既設の柱２，２にドリル等の工具によってドリル孔を新たに開設しなくても済むので、その分だけ作業の手間削減できると共に、ドリル孔の開設による強度の低下も防止できる。
【００２２】
尚、上述したように、第1工程は、２本の柱２，２にそれぞれネジ棒支持金物１２やネジ棒１１、第１締結ナット１４ａを取り付ける工程である一方、第２工程は、第1工程とは関係しない横架材３の下側面２ａの両側にそれぞれ雌ネジ部付き座金１３を固定する工程であるため、第１工程の前に第２工程を行っても良いし、第１工程と第2工程とを同時に行っても良い。
【００２３】
（第３工程）
第３工程は、図６（ａ）に示すように、第１工程によって２本の柱２，２の対向する内側面２ａ，２ａそれぞれ固定された各ネジ棒支持金物１２のネジ棒挿入部１２ａに取り付けたネジ棒１１の上に、第２工程によって横架材３の下側面３ａの両側にそれぞれ固定した雌ネジ部付き座金１３を置き、ネジ棒１１の雄ネジ部１１ａ上端を、雌ネジ部付き座金１３のナット部１３ａの雌ネジ部１３ａ１に螺合して、２本の柱２，２の間に横架材３を仮置きする。
【００２４】
その際、横架材３を上方から下方へ降下させ、２本の柱２，２の対向する内側面２ａ，２ａそれぞれ固定された各ネジ棒支持金物１２のネジ棒挿入部１２ａに取り付けたネジ棒１１の上に、横架材３の下側面３ａの両側にそれぞれ固定した雌ネジ部付き座金１３を設置しても良いし、図６（ｂ）の矢印で示すように、２本の柱２，２の間に横架材３を正面または背後の水平方向（横方向）または斜め方向に移動させて、ネジ棒挿入部１２ａに取り付けたネジ棒１１の上に横架材３の下側面３ａに固定した雌ネジ部付き座金１３に置くこともできる。
【００２５】
尚、第３工程における横架材３の高さは、あくまで仮置きの高さであり、横架材３の所望の高さである必要はない。また、第３工程の段階では、横架材３は水平に設置されていなくても良いものとする。
【００２６】
このように実施形態の第３工程によれば、上述した特許文献１，２の発明のように、横架材３の両端面にスリットを形成し、柱に固定しておいた梁受け金物の側板を、そのスリットの上方から挿入する作業が不要となる。
【００２７】
そのため、例えば、リフォームや増改築等の際に、既存の工作物や、壁、柱、屋根、内装材等が残っていて作業スペースが限られていても、図６（ｂ）に示すように、２本の柱２，２の間に横架材３を正面または背後の水平方向（横方向）から設置することができるので、作業スペースや作業の手間を大幅に削減できる。
【００２８】
特に、この第３工程では、各ネジ棒支持金物１２のネジ棒挿入部１２ａに差したネジ棒１１の雄ネジ部１１ａ上端を、第２工程によって横架材３の下側面３ａの両側にそれぞれ固定した雌ネジ部付き座金１３のナット部１３ａの雌ネジ部１３ａ１に螺合させて、２本の柱２，２の間に横架材３を仮置きすることもできるので、横架材３の設置作業の手間を大幅に軽減することができる。
【００２９】
また、その仮置きの際は、横架材３は水平に設置されていなくても良いので、この点でも横架材３の設置作業の手間を軽減することができる。
【００３０】
（第４工程）
第４工程は、第３工程によって図７に示すようにネジ棒１１の雄ネジ部１１ａ上端に雌ネジ部付き座金１３のナット部１３ａの雌ネジ部１３ａ１を螺合させた仮置き状態で、図８に示すように、両側の各ネジ棒１１の雄ネジ部１１ａに螺合している各第１締結ナット１４ａを回転させて、各ネジ棒１１をそれぞれ各ネジ棒支持金物１２に対し上昇させる。
【００３１】
すると、この第４工程によって、図９に示すように、左右の各ネジ棒１１がそれぞれ各ネジ棒支持金物１２に対し上昇することにより横架材３を下方から押し上げて、横架材３を所望の高さまで上昇させることができる。
【００３２】
また、横架材３を所望の高さまで上昇させた際に、横架材３が水平になっていない場合は、左右の各第１締結ナット１４ａをそれぞれ個別に回転させることによって、横架材３の左右の高さを微調整することもできるので、左右の柱２，２の間に横架材３を確実に水平に設置することができる。
【００３３】
特に、リフォーム等で起こりうる経年による柱２の傾きも、傾いた柱２に取り付けたネジ棒支持金物１２におけるネジ棒１１の高さ（繰り出し量）を微調整することによって修正できるので、柱２や横架材３端部の垂直度がとれない場合でもネジ棒支持金物１２によってその垂直度をとることが可能となる。
【００３４】
また、両側の各ネジ棒１１に螺合している第１締結ナット１４ａを回転させることによって、各ネジ棒１１を上昇させて横架材３を上昇させているため、単に横架材３を吊上げる場合よりも、小さな力で横架材３を上昇させることができるので、この点でも横架材３の設置作業の手間を軽減することができる。
【００３５】
（第５工程）
第５工程は、第４工程によって２本の柱２，２の間で横架材３を所望の高さまで上昇させると共に、第１締結ナット１４ａの個別の調整によって横架材３を水平に設置した後、図１０に示すように、各ネジ棒支持金物１２のネジ棒挿入部１２ａの下側から突出しているネジ棒１１の下端部に対し第２締結ナット１４ｂを螺合して、第２締結ナット１４ｂと第１締結ナット１４ａとによりネジ棒１１をネジ棒挿入部１２ａに固定する。これにより、実施形態１の横架材設置方法の作業が完了する。尚、必要あれば、２個の第２締結ナット１４ｂを使用してダブルナットでネジ棒１１の下端部を締結しても良い。また、この第５工程による第２締結ナット1４ｂの取り付けは、必ずしも必要ではないが、地震などで突発的な力がかかった場合に万が一外れる事がないよう取り付ける事が望ましい。
【００３６】
このように実施形態の第５工程によれば、２本の柱２，２と横架材３の最後の固定は、横架材３の下方で２本の柱２，２の内側面２ａ，２ａそれぞれ固定されたネジ棒支持金物１２のネジ棒挿入部１２ａから下方へ突出しているネジ棒１１に第２締結ナット１４ｂを回転させることによって完了するので、梁受け金物の側板の複数のピン孔の位置と横架材３の両側に形成した複数のピン孔の位置とを合せる作業や、そのピン孔にドリフトピンを貫通させる作業が不要となり、作業の手間を大幅に削減できる
【００３７】
特に、横架材３の下方における第２締結ナット１４ｂの締結で作業が完了し、実施形態１の横架材設置方法の基本的な設置作業のほとんどを横架材３の下方で行うことができるので、高所へ横架材３を設置する場合でも、横架材３の設置作業の手間を大幅に軽減することができる。
【００３８】
尚、上記実施形態１の説明では、羽子板ボルト金物セット１を、左右の柱２，２それぞれに１セットずつの２セット使用して本発明に係る横架材設置方法を説明したが、本発明では、左右の柱２，２それぞれに２セット以上しても良い。
【００３９】
図１１（ａ），（ｂ）は、羽子板ボルト金物セット１を、左右の柱２，２それぞれに２セット使用した例を示しており、図１１（ａ）では、柱２の内側面２ａに２個のネジ棒支持金物１２をそれぞれ水平方向に並べて固定した状態を示しており、図１１（ｂ）では、横架材３の下側面３ａに２個の雌ネジ部付き座金１３を水平方向に並べて固定した状態を示している。
【００４０】
これにより、上述した羽子板ボルト金物セット１を、左右の柱２，２それぞれに１セットずつの２セット使用する場合よりも、耐力を向上させることができる。また、水平方向に２個並べ固定したネジ棒支持金物１２のネジ棒１１に螺合させた２つの第１締結ナット１４ａをそれぞれ回転させて調整することにより、左右の柱２，２に対する横架材３の下側面３ａおよび上側面３ｂの角度をより水平にすることもできる。
【００４１】
実施形態２．
実施形態２の横架材設置方法は、上述した第１工程〜第５工程からなる実施形態１の横架材設置方法によって２本の柱２，２の間に横架材３を設置した後、さらに第６工程を追加し、柱２，２の間に設置された横架材３に対し、図１２〜図１５に示すように、さらに追加の金物を使用して柱２，２と横架材３の固定を補強する。
【００４２】
図１２は、実施形態１の横架材設置方法によって２本の柱２，２の間に横架材３を設置した後、さらに、第６工程により、例えば追加の金物であるＬ形金物１６のような金物を使用して柱２，２と横架材３とを固定する例である。
【００４３】
つまり、図１２に示すように、横架材３の両側において、Ｌ形金物１６の一方の側面は柱２の内側面２ａに釘やビス等の固定部材１５により固定する一方、Ｌ形金物１６の他方の側面は横架材３の上側面３ｂに釘やビス等の固定部材１５により固定する。
【００４４】
図１３は、実施形態１の横架材設置方法によって２本の柱２，２の間に横架材３を設置した後、さらに、第６工程により、例えば追加の金物である爪付きプレート金物１７のような金物を使用して柱２，２と横架材３とを固定する例である。
【００４５】
つまり、図１３に示すように、横架材３の両側において、爪付きプレート金物１７の爪部を柱２の内側面２ａと横架材３の両端面との間に挿入して、プレート金物１７を釘やビス等の固定部材１５により柱２の前側面２ｂと、横架材３の前側面３ｃとに固定する。
【００４６】
図１４は、実施形態１の横架材設置方法によって２本の柱２，２の間に横架材３を設置した後、さらに、第６工程により、追加の金物として実施形態１の横架材設置方法でも使用した羽子板ボルト金物セット１を使用して、横架材３の上側面３ｂ側で柱２，２と横架材３とを固定する例である。
【００４７】
つまり、図１４に示すように、雌ネジ部付き座金１３は柱２の内側面２ａに釘やビス等の固定部材１５により固定する一方、ネジ棒支持金物１２は横架材３の上側面３ｂに釘やビス等の固定部材１５により固定する。
【００４８】
図１５は、実施形態１の横架材設置方法によって２本の柱２，２の間に横架材３を設置した後、さらに、第６工程により、追加の金物として実施形態１の横架材設置方法でも使用した羽子板ボルト金物セット１を使用して、横架材３の下側面３ａ側で柱２，２と横架材３とを固定する例である。
【００４９】
つまり、図１５に示すように、雌ネジ部付き座金１３は柱２の内側面２ａに釘やビス等の固定部材１５により固定する一方、ネジ棒支持金物１２は横架材３の下側面３ａに釘やビス等の固定部材１５により固定する。
【００５０】
これにより、実施形態２の横架材設置方法によれば、上記実施形態１の横架材設置方法と同様の効果が得られると共に、実施形態２で追加した第６工程により、図１２に示すＬ形金物１６や、図１３に示す爪付きプレート金物１７、図１４および図１５に示す羽子板ボルト金物セット１等の追加の金物で柱２，２と横架材３とをさらに固定するため、２本の柱２，２の間に横架材３を強固に設置することができる。
【００５１】
特に、図１４および図１５に示す追加の金物として実施形態１の横架材設置方法でも使用した羽子板ボルト金物セット１を使用した場合、追加の金物として他の種類の金具は不要になるという効果も生じる。
【００５２】
また、図１５に示す場合は、ネジ棒支持金物１２は横架材３の下側面３ａ側に設けるので、第１工程〜第５工程で使用した羽子板ボルト金物セット１だけでなく、第６工程により使用する追加の羽子板ボルト金物セット１も横架材３の下方に位置するので、ほとんどの作業が横架材３の下側で行うことが可能となり、横架材３を高い位置に設置する場合は、実施形態２の横架材設置方法の作業が非常に軽減されることになる。
【００５３】
実施形態３．
次に、本発明に係る実施形態３の横架材設置方法について説明する。
【００５４】
実施形態３の横架材設置方法では、羽子板ボルト金物セット１のネジ棒１１’として、上記実施形態１，２で使用したネジ棒１１よりも長く、横架材３を下方から上方へ貫通させる長さのものを使用し、さらに例えば追加の金物として第３締結ナット１４ｃおよび座金１８のような金物を使用する。そのため、横架材３には、そのネジ棒１１’が下方から上方へ貫通する貫通孔を形成しておく。
【００５５】
そして、実施形態３の横架材設置方法では、第３工程によってネジ棒１１’上端に雌ネジ部付き座金１３のナット部１３ａの雌ネジ部１３ａ１を螺合させた仮置き状態で、第４工程により、両側の各ネジ棒１１’に螺合している第１締結ナット１４ａを回転させることにより、各ネジ棒１１’，１１’をそれぞれ各ネジ棒支持金物１２に対し上昇させて横架材３の貫通孔を貫通させ、各ネジ棒１１’，１１’の上端部を横架材３の上側面３ｂから突出させる。
【００５６】
次に、実施形態３の横架材設置方法の第４工程では、横架材３の上側面３ｂから突出するネジ棒１１’の上端に座金１８を介し第３締結ナット１４ｃを螺合して、上側面３ｂ側の第３締結ナット１４ｃと下側面３ａ側の雌ネジ部付き座金１３とにより横架材３を固定し、その後、第１締結ナット１４ａを回転させて横架材３を所望の高さまで上昇させる。
【００５７】
尚、実施形態３の横架材設置方法では、第４工程以外の第１工程〜第３工程および第５工程は、実施形態１の横架材設置方法と同様で、最終的には、図１６に示す状態になる。
【００５８】
従って、実施形態３の横架材設置方法によれば、上記実施形態１の横架材設置方法と同様の効果が得られると共に、第４工程において、上記実施形態１で使用したネジ棒１１よりも長く、横架材３を貫通する長さを有するネジ棒１１’と、第３締結ナット１４ｃと、座金１８を使用して、各ネジ棒１１’の上端部を横架材３の上側面３ｂから突出させ、座金１８を介し第３締結ナット１４ｃを螺合し、上側面３ｂ側の第３締結ナット１４ｃと下側面３ａ側の雌ネジ部付き座金１３とにより横架材３を固定するようにしたため、上記実施形態１の横架材設置方法の場合よりも、２本の柱２，２の間に横架材３を強固に設置することができる。
【００５９】
実施形態４．
次に、実施形態４の横架材設置方法について説明する。実施形態４の横架材設定方法は、上述した実施形態１〜３の横架材設置方法とは異なり、羽子板ボルト金物セット１を使用して２本の柱２，２間で横架材３を下降させて設置する方法である。尚、実施形態４の横架材設置方法で使用する羽子板ボルト金物セット１は、上記実施形態１〜３の横架材設置方法で使用する羽子板ボルト金物セット１と同一であるので、それらの説明は省略して、横架材設置方法について説明する。
【００６０】
（第１工程）
実施形態４の横架材設置方法の第１工程では、図１７に示すように、２本の柱２，２の対向する内側面２ａ，２ａに、それぞれ、ネジ棒支持金物１２を固定すると共に、ネジ棒支持金物１２のネジ棒挿入部１２ａにネジ棒１１を挿入し、かつ、ネジ棒支持金物１２のネジ棒挿入部１２ａの上部から突出するネジ棒１１の雄ネジ部１１ａに第１締結ナット１４ａを螺合する一方、横架材３の上側面３ｂの両側に、それぞれ、図５（ａ），（ｂ）に示すように、座金部１３ｂの複数の取付孔１３ｂ１から釘やビス等の固定部材１５を打込んで雌ネジ部付き座金１３を固定する。
【００６１】
そして、この第１工程では、２本の柱２，２の対向する内側面２ａ，２ａにそれぞれ固定された各ネジ棒支持金物１２のネジ棒挿入部１２ａに螺合したネジ棒１１の下端に第２締結ナット１４ｂを螺合すると共に、第２締結ナット１４ｂから突出したネジ棒１１の下端を、横架材３の上側面３ｂの両側にそれぞれ固定した雌ネジ部付き座金１３のナット部１３ａの雌ネジ部１３ａ１に螺合し、最終的には図１７に示すような状態にセットする。
【００６２】
（第２工程）
実施形態４の横架材設置方法の次の第２工程では、その前の第１工程によってネジ棒１１の下端に雌ネジ部付き座金１３のナット部１３ａの雌ネジ部１３ａ１を螺合させているので、図１８に示すように、左右両側の各ネジ棒１１に螺合している第１締結ナット１４ａをそれぞれ回転させ、左右両側の各ネジ棒１１をそれぞれ各ネジ棒支持金物１２に対し下降させ、図１９に示すように横架材３を所望の高さまで下降させる、
【００６３】
（第３工程）
そして、第２工程によって、図１９に示すように横架材３を所望の高さまで下降させた後、次の第３工程では、ネジ棒１１の下端に予め螺合しておいた第２締結ナット１４ｂを回転させて上昇させ、図２０に示すように、当該第２締結ナット１４ｂと第１締結ナット１４ａとにより各ネジ棒支持金物１２のネジ棒挿入部１２ａに対しネジ棒１１を固定する。
【００６４】
従って、実施形態４の横架材設置方法によれば、横架材３を所望の高さまで下降させた際に、横架材３が水平になっていない場合は、左右の各第１締結ナット１４ａをそれぞれ個別に回転させることによって、横架材３の左右の高さを微調整することもできるので、左右の柱２，２の間に横架材３を確実に水平に設置することができる。
【００６５】
特に、リフォーム等で起こりうる経年による柱２の傾きも、傾いた柱２に取り付けたネジ棒支持金物１２におけるネジ棒１１の高さ（繰り出し量）を微調整することによって修正できるので、柱２や横架材３端部の垂直度がとれない場合でもネジ棒支持金物１２によってその垂直度をとることが可能となる。
【００６６】
実施形態５．
実施形態５の横架材設置方法は、上述した第１工程〜第３工程からなる実施形態４の横架材設置方法によって２本の柱２，２の間に横架材３を設置した後、さらに第４工程を追加し、柱２，２の間に設置された横架材３に対し、図２１〜図２４に示すように、さらに追加の金物を使用して柱２，２と横架材３の固定を補強する。
【００６７】
図２１は、実施形態５の横架材設置方法によって２本の柱２，２の間に横架材３を設置した後、さらに、第４工程により、例えば追加の金物であるＬ形金物１６のような金物を使用して柱２，２と横架材３とを固定する例である。
【００６８】
つまり、図２１の場合、横架材３の両側において、Ｌ形金物１６の一方の側面は柱２の内側面２ａに釘やビス等の固定部材１５により固定する一方、Ｌ形金物１６の他方の側面は横架材３の上側面３ｂに釘やビス等の固定部材１５により固定する。
【００６９】
図２２は、実施形態５の横架材設置方法によって２本の柱２，２の間に横架材３を設置した後、さらに、第４工程により、例えば追加の金物である爪付きプレート金物１７のような金物を使用して柱２，２と横架材３とを固定する例である。
【００７０】
つまり、図２２の場合、横架材３の両側において、爪付きプレート金物１７の爪部を柱２の内側面２ａと横架材３の両端面との間に挿入し、プレート金物１７を釘やビス等の固定部材１５により柱２の前側面２ｂと、横架材３の前側面３ｃとに固定する。
【００７１】
図２３は、実施形態５の横架材設置方法によって２本の柱２，２の間に横架材３を設置した後、さらに、第４工程により、追加の金物として実施形態４の横架材設置方法でも使用した羽子板ボルト金物セット１を使用して、横架材３の下側面３ａ側で柱２，２と横架材３とを固定する例である。
【００７２】
つまり、図２３に示すように、雌ネジ部付き座金１３は柱２の内側面２ａに釘やビス等の固定部材１５により固定する一方、ネジ棒支持金物１２は横架材３の下側面３ａに釘やビス等の固定部材１５により固定する。
【００７３】
図２４は、実施形態１の横架材設置方法によって２本の柱２，２の間に横架材３を設置した後、さらに、第４工程により、追加の金物として実施形態４の横架材設置方法でも使用した羽子板ボルト金物セット１を使用して、横架材３の上側面３ｂ側で柱２，２と横架材３とを固定する例である。
【００７４】
つまり、図２４に示すように、雌ネジ部付き座金１３は柱２の内側面２ａに釘やビス等の固定部材１５により固定する一方、ネジ棒支持金物１２は横架材３の上側面３ｂに釘やビス等の固定部材１５により固定する。
【００７５】
これにより、実施形態５の横架材設置方法によれば、上記実施形態４の横架材設置方法と同様の効果が得られると共に、実施形態５で追加した第４工程により、図２１に示すＬ形金物１６や、図２２に示す爪付きプレート金物１７、図２３および図２４に示す羽子板ボルト金物セット１等の追加の金物で柱２，２と横架材３とをさらに固定するため、２本の柱２，２の間に横架材３を強固に設置することができる。
【００７６】
特に、図２３および図２４に示す追加の金物として実施形態４の横架材設置方法でも使用した羽子板ボルト金物セット１を使用した場合、追加の金物として他の種類の金具は不要になるという効果も生じる。
【００７７】
また、図２４に示す場合は、ネジ棒支持金物１２は横架材３の上側面３ｂ側に設けるので、第１工程〜第３工程で使用した羽子板ボルト金物セット１だけでなく、第４工程により使用する追加の羽子板ボルト金物セット１も横架材３の上側面３ｂ側に位置するので、ほとんどの作業が横架材３の上側で行うことが可能となり、実施形態５の横架材設置方法の作業が非常に軽減されることになる。
【００７８】
実施形態６．
次に、本発明に係る実施形態６の横架材設置方法について説明する。
【００７９】
実施形態６の横架材設置方法では、羽子板ボルト金物セット１のネジ棒１１’として、上記実施形態４，５で使用したネジ棒１１よりも長く、横架材３を上方から下方へ貫通させる長さのものを使用し、さらに例えば追加の金物として第３締結ナット１４ｃおよび座金１８のような金物を使用する。そのため、横架材３には、そのネジ棒１１’が下方から上方へ貫通する貫通孔を形成しておく。
【００８０】
そして、この実施形態６の横架材設置方法の第１工程では、２本の柱２，２の対向する内側面２ａ，２ａにそれぞれ固定された各ネジ棒支持金物１２のネジ棒挿入部１２ａに螺合したネジ棒１１’の下端を、横架材３の上側面３ｂの両側にそれぞれ固定した雌ネジ部付き座金１３の雌ネジ部１３ａ１に螺合させると共に、横架材３の貫通孔を貫通させて横架材３の下側面３ａから突出させ、横架材３の下側面３ａから突出したネジ棒１１’の下端に座金１８を介して第３締結ナット１４ｃを螺合し、横架材３を第３締結ナット１４ｃと雌ネジ部付き座金１３とにより固定しておく。
【００８１】
その後は、上記実施形態４，５と同様に、第２工程により左右両側の各ネジ棒１１に螺合している第１締結ナット１４ａをそれぞれ回転させ各ネジ棒支持金物１２に対し下降させ、横架材３を所望の高さまで下降させ、次の第３工程では第２締結ナット１４ｂを回転させて上昇させ、図２５に示すように第２締結ナット１４ｂと第１締結ナット１４ａとにより各ネジ棒支持金物１２のネジ棒挿入部１２ａに対しネジ棒１１を固定する。
【００８２】
従って、実施形態６の横架材設置方法によれば、上記実施形態４の横架材設置方法と同様の効果が得られると共に、第４工程において、上記実施形態４で使用したネジ棒１１よりも長く、横架材３を貫通する長さを有するネジ棒１１’と、第３締結ナット１４ｃと、座金１８を使用して、各ネジ棒１１’の下端部を横架材３の上側面３ｂから突出させ、座金１８を介し第３締結ナット１４ｃを螺合し、下側面３ａ側の第３締結ナット１４ｃと上側面３ｂ側の雌ネジ部付き座金１３とにより横架材３を固定するようにしたため、上記実施形態４の横架材設置方法の場合よりも、２本の柱２，２の間に横架材３を強固に設置することができる。
【００８３】
尚、上記実施形態１〜６の説明では、雌ネジ部付き座金１３は、図２（ａ）〜（ｃ）等に示すように、雌ネジ部１３ａ１が形成されたナット部１３ａを座金部１３ｂに溶着した雌ネジ部付き座金１３により説明したが、本発明では、これに限らず、雌ネジ部１３ａ１が設けられた雌ネジ部付き座金１３であれば十分である。つまり、雌ネジ部付き座金１３は、例えば、平板状の座金部１３ｂの厚さを厚くして、その座金部１３ｂにネジ切りを行って雌ネジ部１３ａ１を設けても良いし、さらには平板状の座金部１３ｂにバーリング加工等によって円筒状の筒部を設け、その筒部の内周面に雌ネジ部１３ａ１を形成するようにしても良い。
【符号の説明】
【００８４】
１  羽子板ボルト金物セット
１１，１１’  ネジ棒
１１ａ  雄ネジ部
１２  ネジ棒支持金物
１２ａ  ネジ棒挿入部
１２ｂ  背板部
１３  雌ネジ部付き座金
１３ａ  ナット部
１３ａ１  雌ネジ部
１３ｂ  座金部
１４ａ  第１締結ナット
１４ｂ  第２締結ナット
１４ｃ  第３締結ナット（追加の金物）
１５  固定部材
１６  Ｌ形金物（追加の金物）
１７  プレート金物（追加の金物）
１８  座金（追加の金物）
２  柱
２ａ  内側面
２ｂ  前側面
３  横架材
３ａ  下側面
３ｂ  上側面
３ｃ  前側面
【図１】
2019027132.tif 000003
【図２】
2019027132.tif 000004
【図３】
2019027132.tif 000005
【図４】
2019027132.tif 000006
【図５】
2019027132.tif 000007
【図６】
2019027132.tif 000008
【図７】
2019027132.tif 000009
【図８】
2019027132.tif 000010
【図９】
2019027132.tif 000011
【図１０】
2019027132.tif 000012
【図１１】
2019027132.tif 000013
【図１２】
2019027132.tif 000014
【図１３】
2019027132.tif 000015
【図１４】
2019027132.tif 000016
【図１５】
2019027132.tif 000017
【図１６】
2019027132.tif 000018
【図１７】
2019027132.tif 000019
【図１８】
2019027132.tif 000020
【図１９】
2019027132.tif 000021
【図２０】
2019027132.tif 000022
【図２１】
2019027132.tif 000023
【図２２】
2019027132.tif 000024
【図２３】
2019027132.tif 000025
【図２４】
2019027132.tif 000026
【図２５】
2019027132.tif 000027